(57)【特許請求の範囲】
【請求項１】
測定に関する複数の測定項目の名称を画面に表示すると共に、表示された測定項目を選択的に設定することにより、その測定項目の測定プログラムを実行し、測定する電子測定装置において、
前記複数の測定項目の名称、およびその測定項目についての測定結果を所定の配列で一覧表示できるようにする画面管理手段（１０ａ）と、
前記画面管理手段によって測定項目の名称、およびその測定項目についての測定結果を一覧表示する際の測定
項目の配列順序の変更要求を入力するための入力手段（１４，１６）と、
前記入力手段によって変更要求を入力した場合に、前記画面管理手段によって表示される複数の測定項目の配列を変更する指示を入力し、この指示に応じて測定項目の配列順序を並び替える項目並び替え手段（１０ｂ）と、
前記複数の測定項目のうち、選択的に設定された測定項目の測定プログラムを、前記項目並び替え手段で変更された配列と関係なく、予め定められた順序で実行する制御部（１０）とを具備したことを特徴とする電子測定装置。
【発明の詳細な説明】
【０００１】
【発明の属する技術分野】
本発明は、測定結果を項目毎に表示する電子測定装置に関する。
【０００２】
【従来の技術】
一般に、電子測定装置においては、複数の測定項目についての測定結果を項目毎に表示するために、測定項目のそれぞれに対応する測定結果表示画面を設けている。従って、ユーザは、ある測定項目についての測定結果を見たい場合には、目的とする測定項目に対応する画面に切り替える必要がある。また、測定結果を表示する測定結果表示画面の他にも、各種機能に対応して複数の設定項目のそれぞれに対応する表示画面が設けられており、同様にして必要に応じて画面が切り替えられて使用される。
【０００３】
【発明が解決しようとする課題】
このように従来の電子測定装置では、測定結果を表示するための測定項目など、各種項目に対する内容を表示する場合には、画面切り替えなどの操作が必要となっていた。また、複数の測定項目の内容を選択的に優先して表示させて確認したいとしても、ユーザが逐次、所望する測定項目に対応する画面に切り替えて表示させるしかなく、煩雑な操作が必要となる場合があった。
【０００４】
本発明は前記のような事情を考慮してなされたもので、複数の測定項目の名称、およびその測定項目についての測定結果をユーザが所望する順序で配列させて一覧表示することが可能な電子測定装置を提供することを目的とする。
【０００５】
【課題を解決するための手段】
上記目的を達成するため、本発明は、測定に関する複数の測定項目の名称を画面に表示すると共に、表示された測定項目を選択的に設定することにより、その測定項目の測定プログラムを実行し、測定する電子測定装置において、前記複数の測定項目の名称、およびその測定項目についての測定結果を所定の配列で一覧表示できるようにする画面管理手段（１０ａ）と、前記画面管理手段によって測定項目の名称、およびその測定項目についての測定結果を一覧表示する際の測定項目の配列順序の変更要求を入力するための入力手段（１４，１６）と、前記入力手段によって変更要求を入力した場合に、前記画面管理手段によって表示される複数の測定項目の配列を変更する指示を入力し、この指示に応じて測定項目の配列順序を並び替える項目並び替え手段（１０ｂ）と、前記複数の測定項目のうち、選択的に設定された測定項目の測定プログラムを、前記項目並び替え手段で変更された配列と関係なく、予め定められた順序で実行する制御部（１０）とを具備したことを特徴とする。
【０００７】
【発明の実施の形態】
以下、図面を参照して本発明の実施の形態について説明する。図１は本実施形態に係わる電子測定装置の構成を示すブロック図である。本実施形態における電子測定装置は、測定に関する複数項目の名称を画面に表示すると共に、表示された項目を選択的に設定することにより、その項目の測定プログラムを実行し、測定する装置である。
【０００８】
図１に示すように、本実施形態における電子測定装置は、制御部１０、測定ユニット１２、記憶部１３、パネルユニット１４、入力制御部１６、表示制御部１８、及び表示器１９によって構成されている。
【０００９】
制御部１０は、電子測定装置を構成する各部を制御するもので、ＣＰＵによりプログラムを実行することにより実現される。制御部１０は、パネルユニット１４に設けられたキーに対する操作に応じた処理を実行する。制御部１０には、画面管理部１０ａが設けられており、入力制御部１６を通じて入力されるパネルユニット１４からの指示に応じた表示をするように画面を管理する。画面管理部１０ａは、記憶部１３に記憶されたファンクションメニューデータ１３ｂをもとにした、装置に設けられた機能の実行を指示するために用いられる複数のメニュー項目を配列させたファンクションメニューの表示、表示画面におけるウィンドウの設定とウィンドウ中での表示などを制御する。画面管理部１０ａは、各種機能に対応するウィンドウを設け、記憶部１３に記憶された表示項目データ１３ｃに応じた各種機能に対して設定されている複数の項目のそれぞれについての内容をウィンドウ中に一覧表示する。例えば、測定結果ウィンドウには、複数の測定項目が設けられ、それぞれの測定項目についての測定結果が一覧表示される。項目並び替え部１０ｂは、画面管理部１０ａによって表示される複数の項目の配列を変更する指示を入力し、この指示に応じて項目の配列順序を並び替えて、表示項目データ１３ｃを更新する機能を提供する。制御部１０は、複数の測定項目のうち、選択的に設定された項目並び替え部１０ｂによって変更された配列と関係なく、選択された測定項目に対応する測定プログラムを実行する。
【００１０】
測定ユニット１２は、制御部１０の制御の下で、パネルユニット１４に設けられた測定キーに対する操作に応じて、受信信号の測定を実行するユニットである。測定の実行手順は、複数の測定項目のうち、選択された測定項目を予め定められた順序で実行される。それぞれの項目の実行は、記憶部１３に記憶されたその項目の測定プログラムに従ってなされる。
【００１１】
記憶部１３は、電子測定装置で扱われる各種データ、各項目に対応した測定プログラムを記憶するためのものである。各種データには、特定の機能に対応するファンクションメニューに関するファンクションメニューデータ１３ｂ、表示画面中のウィンドウに表示する項目とその配列順序に関する表示項目データ１３ｃ、項目並び替え部１０ｂによって表示項目データ１３ｃが示す項目の配列順序を変更する際の作業データである表示項目並び替え作業データ１３ｄ、項目並び替え部１０ｂによって項目の並び替えが行われる際に並び替えの対象となる項目を示す並び替え対象表示項目データ１３ｅ、表示項目データ１３ｃに設定された表示項目のそれぞれに対応する測定ユニット１２によって測定された測定結果を示す測定データ１３ｆなどがある。
【００１２】
パネルユニット１４は、ユーザからの装置に対する各種指示を入力するためのもので、ファンクションキー、フォーカスキー、カーソルキー、エンコーダ、測定キーなどが設けられている。ファンクションキーは、表示画面の右側に表示されるファンクションメニュー中の各メニュー項目を指示するために用いられるキーである。例えばＦ１〜Ｆ７までの７つのキーが設けられている。従って、表示画面中のファンクションメニューエリアには、ファンクションキーのそれぞれに対応する７つのメニュー項目が配列されたファンクションメニューが表示される。なお、メニュー項目が８つ以上ある場合には、ファンクションメニューのページ切り替えが指示されることで、順次、異なるメニュー項目が配列されたファンクションメニューが表示される。フォーカスキーは、画面に設けられる複数のウィンドウの中で操作可能とするウィンドウの切り替えを指示するために用いられるキーである。画面には特定の機能に応じてそれぞれウィンドウが設けられており、フォーカスキーが操作されることで、順次、操作可能とするウィンドウが切り替えられ、機能を実行可能な状態にすることができる。なお、以下の説明では、操作可能なウィンドウをアクティブなウィンドウ、それ以外を非アクティブなウィンドウとして説明する。項目並び替え部１０ｂによる表示項目の並び替えは、アクティブなウィンドウに設けられた項目を対象として実行されるものとする。カーソルキーは、表示画面のウィンドウ中に設定されたカーソルの移動方向や、表示画面中の所定方向を指示するために用いられるキーである。エンコーダは、回すことによってカーソルの移動やパラメータの数値を入力し、押されることによってパラメータの入力開始や選択決定を指示するために用いられる操作部品である。測定キーは、測定ユニット１２によって受信信号について測定の実行を指示するためのキーである。本実施形態の電子測定装置では、１つの測定キーに対する操作によって、複数の測定項目についての測定を一括して実施する。
【００１３】
入力制御部１６は、パネルユニット１４に設けられたキーに対する入力操作を受け付け、キー操作の内容を制御部１０に通知する。
【００１４】
表示制御部１８は、制御部１０の制御の下で、表示器１９における各種情報の表示制御を行う。
【００１５】
表示器１９は、表示制御部１８の制御によって各種情報を表示する。表示器１９の表示画面は複数のエリアが設けられ、各エリアに割り当てられた情報を表示する。
【００１６】
図２には、画面管理部１０ａの管理のもとで表示器１９において表示される画面の一例を示している。図２に示すように、画面上部には、日付と時刻、画面の種類、状態メッセージなどの基本的な情報が表示されている。また、画面中には複数のウィンドウを設けて、ウィンドウリストバー２０において画面中に表示可能なウィンドウの種類をリスト表示すると共に、アクティブとなっているウィンドウを示している。図２に示す例では、測定結果ウィンドウ２１と設定ウィンドウ２２が表示され、設定ウィンドウ２２がアクティブとなっている状態を示している（ウィンドウリストバー２０の設定ウィンドウ２２に対応する「Parameter」が例えば反転表示されている）。
【００１７】
測定結果ウィンドウ２１には、複数の測定項目のそれぞれについての、測定ユニット１２によって測定された測定結果が一覧表示される。また、設定ウィンドウ２２には、測定ユニット１２による測定を実施する際に利用される各種パラメータを入力するための項目が表示される。各ウィンドウは、１画面中に全ての項目の内容を表示することができない場合、ウィンドウ毎に画面をカーソルキーなど操作に応じてスクロールさせることができる。
【００１８】
また、各ウィンドウ（測定結果ウィンドウ２１，設定ウィンドウ２２）には、それぞれ複数の表示項目がタグ２３として表示されている。ファンクションメニュー２４には、アクティブなウィンドウに設けられたタグ２３に対応するメニュー項目が設定されている。ファンクションメニュー２４で「ＴＡＧ」が表示されたメニュー項目が選択されることで、このメニュー項目に対応するタグ（表示項目）がウィンドウ中の先頭位置となるように画面が更新（スクロール）されると共に、このメニュー項目が示す機能、例えば波形表示などが実行可能となる。
【００１９】
次に、本実施形態における電子測定装置の表示項目の配列順序を並び替える動作について、図３に示すフローチャートを参照しながら説明する。画面管理部１０ａは、ファンクションメニュー２４を画面中に表示しており、アクティブなウィンドウに関する処理の実行指示を入力できるようにしている。ファンクションメニュー２４には、アクティブなウィンドウに設定された複数の項目の配列順序を並び替える処理を実行させるためのメニュー項目（「Arrangement of Item」）２４ａが設けられている。このメニュー項目２４ａは、何れのウィンドウに対応するファンクションメニュー２４においても設けられているものとする。
【００２０】
このメニュー項目２４ａに対応するファンクションキーがユーザによって押下されると、制御部１０は、パネルユニット１４、入力制御部１６を通じて、表示項目の配列順序を並び替えの実行が指示されたことを判別し、項目並び替え部１０ｂを起動する。
【００２１】
項目並び替え部１０ｂは、現在アクティブとなっているウィンドウの表示項目についての表示項目データ１３ｃを記憶部１３から読み出し、表示項目並び替え作業データ１３ｄとして記憶する（ステップＡ０）。そして、項目並び替え部１０ｂは、表示項目並び替え操作を受け付けるために項目配列設定ウィンドウ３０を表示器１９の画面中にポップアップ表示させ、表示項目並び替え作業データ１３ｄとして記憶された表示項目の一覧を現在の配列順序に従って一覧表示させる（ステップＡ１）。なお、項目配列設定ウィンドウ３０が表示された初期状態では、先頭の項目にカーソルが設定されているものとする。
【００２２】
図４には項目配列設定ウィンドウ３０がポップアップ表示された状態の一例を示している。項目配列設定ウィンドウ３０には、現在、アクティブとなっている測定結果ウィンドウ２１に設けられている複数の項目（「Power Measurement」「Frequency Error」「Occupied Bandwidth」…）が現在の配列順序に従って表示されている。（なお、図４におけるファンクションメニュー２４には、メニュー項目（「Arrangement of Ierm」）２４ａが含まれていないが、他のファンクションメニュー２４のページにメニュー項目２４ａが設けられているものとする）。また、項目配列設定ウィンドウ３０には、項目並び替え操作の完了を指示するための「Ｓｅｔ」ボタン、先の設定を取り消して項目配列設定ウィンドウ３０を開いた時の配列順序へ戻す指示をするための「Ｃａｎｃｅｌ」ボタン、予め設定された初期状態での項目の配列順序への変更を指示するための「Ｄｅｆａｕｌｔ」ボタンが設けられている。
【００２３】
この時、表示項目並び替え作業データ１３ｄとしては、図５（ａ１）のように、測定結果ウィンドウ２１に設けられた各表示項目とその配列順序が登録されている。また、図５（ａ１）に示す表示項目並び替え作業データ１３ｄに対応する項目配列設定ウィンドウ３０の表示状態を図６（ａ）に示している。
【００２４】
ここで、項目配列設定ウィンドウ３０に設定されたカーソルを移動する指示が入力された場合（ステップＡ３）、すなわちパネルユニット１４に設けられたカーソルキーが押下されるあるいはエンコーダが回された場合には、項目並び替え部１０ｂは、入力制御部１６を通じて入力される操作内容に応じて、項目配列設定ウィンドウ３０中のカーソルを表示項目上で移動させる（ステップＡ４）。
【００２５】
例えば、パネルユニット１４に設けられたエンコーダを右回転させる操作がされた場合には、回転に合わせて先頭（１番）の項目から順に、２番、３番、４番…の項目にカーソルを移動させる。最後の表示項目（図４、図６（ａ））では９番目の「Block Error Rate」）にカーソルがある状態でさらにエンコーダが右回転されると、「Ｓｅｔ」ボタン、「Ｃａｎｃｅｌ」ボタン、「Ｄｅｆａｕｌｔ」ボタンにカーソルが順次移動される。さらに、エンコーダが右回転されると１番の項目にカーソルを移動させる。なお、エンコーダが左回転された場合には、前述した右回転された場合と逆の順でカーソルを移動させる。
【００２６】
並び替えの対象とする表示項目にカーソルが移動されエンコーダが押下されると（ステップＡ５）、項目並び替え部１０ｂは、カーソル位置にある表示項目を並び替え対象とする表示項目として並び替え対象表示項目データ１３ｅとして設定し、その表示項目のカーソル表示の色を移動用カーソルに設定する（ステップＡ６）。例えば初期状態のカーソルを黒色で表示していた場合には、異なる色（赤色など）に設定する。
【００２７】
ここで、カーソルキーあるいはエンコーダが操作されることでカーソル移動が指示されると（ステップＡ７）、項目並び替え部１０ｂは、入力制御部１６を通じて入力される操作内容に応じて、移動用カーソルと共に並び替え対象表示項目を移動させて項目配列中の表示対象項目の表示順序を並び替えると共に、表示項目並び替え作業データ１３ｄを更新する（ステップＡ８）。
【００２８】
例えば、移動用カーソルを下方向に移動させる指示があった場合、カーソルの移動方向にある次の表示項目を現在の移動用カーソル位置に変更し、移動用カーソルと共に並び替え対象表示項目を次の表示項目の位置に変更する（並び替え対象表示項目と移動方向の次の表示項目の位置を入れ替える）。この操作をカーソル移動指示に応じて順次行う。
【００２９】
図６（ａ）に示す例において、２番目の表示項目「Frequency Error」が並び替え対象表示項目として設定され、下方向に３段下まで移動用カーソルが移動された場合、図６（ｂ）に示すように、並び替え対象表示項目の位置がカーソル移動の指示に応じて移動されることで表示順序が変更される。
【００３０】
こうして、任意に選択した表示項目の配列の順番を、項目配列設定ウィンドウ３０中に一覧表示された複数の表示項目中で任意に指定することができる。図５（ａ２）には、図６（ｂ）の表示状態における表示項目並び替え作業データ１３ｄの状態を示している。
【００３１】
こうして所望する任意の順番に並べ替え表示対象項目が移動され、エンコーダが押下されることで決定指示が入力されると（ステップＡ９）、項目並び替え部１０ｂは、移動用カーソルを解除して元のカーソル（例えば黒）に戻す（ステップＡ１０）。例えば、図６（ｂ）に示すように、並び替え対象表示項目の位置が変更されて決定指示があると、図６（ｃ）に示すように、変更後の配列順序が項目が一覧表示される。以下、同様にして、任意の表示項目を並べ替えの対象として選択して、この表示項目の順番を変更することで任意に複数の表示項目の配列順序を変更することができる（ステップＡ３〜Ａ９）。
【００３２】
こうして、配列順序が変更された後、「Ｓｅｔ」ボタンが選択されると（ステップＡ２）、項目並び替え部１０ｂは、表示項目並び替え作業データ１３ｄとして記憶された並び替えられた表示順序に従って表示項目データ１３ｃを更新する（ステップＡ１１）。そして項目配列項目配列設定ウィンドウ３０を閉じる（ステップＡ１２）。
【００３３】
画面管理部１０ａは、項目並び替え部１０ｂによって表示項目の配列順序が変更されたウインドウについて、そのウインドウ中で表示される表示項目（タグ２３）の順番を入れ替えて表示する（ステップＡ１３）。また、このウインドウ中の表示項目の配列の変更に伴って、ファンクションメニューデータ１３ｂを更新し、ファンクションメニュー中のメニュー項目の順番も変更する。
【００３４】
例えば、図４における測定結果ウィンドウ２１では、２番目に「Frequency Error」の項目が設定されているが、この表示項目が項目配列項目配列設定ウィンドウ３０を用いて５番目に配列順序が変更されることにより、それまで３番から５番までの表示項目が、それぞれ２番から４番に表示順序が変更されるため、この表示順序に従って測定結果ウインドウ２１中の表示項目（タグ２３）の順番を変更して測定結果を表示する。
【００３５】
このようにして、項目配列項目配列設定ウィンドウ３０用いて任意に項目の配列順序を変更することで、ウインドウ中に設けられる表示項目の順番を変更して、各項目に対応する内容を表示することができる。従って、ユーザの好みに合わせた順番で各項目の内容をウインドウ中で表示することができ、例えば測定結果ウィンドウ２１であればユーザが優先して見たい測定項目の表示順番を上位にすることで、優先してその表示項目についての測定結果を測定結果ウィンドウ２１中で確認することができる。このため、測定結果ウィンドウ２１の表示内容をスクロールする操作を繰り返しながら、見たい表示項目を逐次表示させるといったことが煩雑な作業をする必要が無くなる。
【００３６】
なお、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【００３７】
また、本願発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００３８】
【発明の効果】
以上詳述したように本発明によれば、複数の測定項目の名称、およびその測定項目についての測定結果をユーザが所望する順序で配列させて一覧表示することが可能となるものである。
【図面の簡単な説明】
【図１】本実施形態に係わる電子測定装置の構成を示すブロック図。
【図２】画面管理部１０ａの管理のもとで表示器１９において表示される画面の一例を示す図。
【図３】電子測定装置の表示項目の配列順序を並び替える動作について示すフローチャート。
【図４】項目配列設定ウィンドウ３０がポップアップ表示された状態の一例を示す図。
【図５】表示項目並び替え作業データ１３ｄと並び替え対象表示項目データ１３ｅに記憶されるデータの一例を示す図。
【図６】項目配列設定ウィンドウ３０の表示状態の変化を説明するための図。
【符号の説明】
１０…制御部
１０ａ…画面管理部
１０ｂ…項目並び替え部
１２…測定ユニット
１３…記憶部
１３ａ…測定プログラム
１３ｂ…ファンクションメニューデータ
１３ｃ…表示項目データ
１３ｄ…表示項目並び替え作業データ
１３ｅ…並び替え対象表示項目データ
１３ｆ…測定データ
１４…パネルユニット
１６…入力制御部
１８…表示制御部
１９…表示器
２０…ウィンドウリストバー
２１…測定結果ウィンドウ
２２…設定ウィンドウ
２３…タグ
２４…ファンクションメニュー
３０…項目配列設定ウィンドウ
【図１】
0003732776.tif 000002
【図２】
0003732776.tif 000003
【図３】
0003732776.tif 000004
【図４】
0003732776.tif 000005
【図５】
0003732776.tif 000006
【図６】
0003732776.tif 000007